(57)【特許請求の範囲】
【請求項１】
後および左右の各面を構成する壁または板と、出入口である開口部が形成されることで左右に一直線状に分割される前面板とがトイレ囲繞部材として構成される幼児用のトイレブースであって、該トイレブース内に配された一つの便器が前記出入口から見えないように目隠しするためのスクリーンパネルを、便器が後側に対向する状態で出入口よりも後側に偏倚させて設けて、出入口から左右に分割してスクリーンパネルを左右に避ける二つの動線で前記一つの便器に至るように構成するにあたり、該スクリーンパネルは天井面までには至らない長さのものとし、該スクリーンパネルを、前記動線Ａと平面視で交差する部位である架け渡し部がスクリーンパネルの上端よりも高位で天井面までには至らないが大人の出入を妨げないように配された支持部材を介して前記トイレ囲繞部材のうち何れか一つ以上の箇所に支持したことを特徴とする幼児用トイレブース。
【請求項２】
前記スクリーンパネルを、前記出入口および分割した二つの動線Ａと平面視で交差する部位である三つの架け渡し部がスクリーンパネルの上端よりも高位で天井面までには至らないが大人の出入を妨げないように配された支持部材を介して前記左右に分割された前面板同士およびスクリーンパネルと前面板とのあいだの支持をしたことを特徴とする請求項１記載の幼児用トイレブース。
【請求項３】
支持部材は、スクリーンパネルには左右方向間隙を存して少なくとも２箇所で連結されるものとし、前記トイレ囲繞部材には、前記支持部材のスクリーンパネル連結位置に対して前後方向同位置、およびスクリーンパネルの左右方向延長位置に対して前後方向にズレ、かつスクリーンパネルの支持部材連結位置よりも左右方向外方にズレた位置のなかから選択された少なくとも２箇所で連結されていることを特徴とする請求項１または２記載の幼児用トイレブース。
【請求項４】
支持部材は、スクリーンパネルおよび／またはトイレ囲繞部材の縦面を通って床面にまで至るように構成されていることを特徴とする請求項１乃至３の何れか１記載の幼児用トイレブース。
【請求項５】
支持部材は、上下方向を向いていてスクリーンパネルの左右両側縁に固着され、上端部が前後方向を向いていて左右前面板の上方にまで至る逆Ｌ字状をした左右一対のパネル支持部と、左右両脚部と跨部とを有した冂字形に形成され、両脚部の下端が取付け座を介して前記左右前面板の上端縁に固着され、跨部に前記左右パネル支持部の上前端が固着された前面板側支持部と、前記左右パネル支持部間に複数本が介装される補強骨とによって構成されていることを特徴とする請求項２乃至４の何れか１記載の幼児用トイレブース。
【請求項６】
前面板側支持部に動物の頭部を模った前面パネルを取り付けたことを特徴とする請求項５記載の幼児用トイレブース。
【請求項７】
後および左右の各面を構成する壁または板と、出入口である開口部が形成されることで左右に一直線状に分割される前面板とがトイレ囲繞部材として構成される幼児用のトイレブースの改修方法であって、前記出入口を開閉する既存の戸体を取り外した後、該トイレブース内に配された一つの便器が前記出入口から見えないように目隠しすることにはなるが、天井面までには至らない長さのスクリーンパネルを、便器が後側に対向する状態で出入口よりも後側に偏倚させて設けて出入り口から左右に分割してスクリーンパネルを左右に避ける二つの動線で前記一つの便器に至るようにした状態で、該スクリーンパネルを、前記動線と平面視で交差する部位である架け渡し部がスクリーンパネルの上端よりも高位で天井面までには至らないが大人の出入を妨げないように配された支持部材を介して前記トイレ囲繞部材のうち何れか一つ以上の箇所に支持したことを特徴とする幼児用トイレブースの改修方法。
【請求項８】
前記スクリーンパネルを、前記出入口および分割した二つの動線と平面視で交差する部位である架け渡し部がスクリーンパネルの上端よりも高位で天井面までには至らないが大人の出入を妨げないように配された支持部材を介して前記左右に分割された前面板同士およびスクリーンパネルと左右の前面板とのあいだの支持をしたことを特徴とする請求項７記載の幼児用トイレブースの改修方法。
【発明の詳細な説明】
【技術分野】
【０００１】
本発明は、幼稚園、保育園等の保育施設の幼児用トイレブースや、公共施設、ショッピングセンター、サービスエリア等の大人用トイレの一角に設置する幼児用トイレブース及び幼児用トイレブースの改修方法の技術分野に属するものである。
【背景技術】
【０００２】
従来、幼稚園や保育園等に設置される幼児用のトイレブースとして、一般的な大人用のトイレブースに比べて壁や扉の高さを低くすることで、教員や保育士等が必要に応じてブース外からブース内の幼児の様子を見ることができるようにしたものが知られている（例えば、特許文献１参照）。
しかし、特にトイレトレーニング中の幼児にとって、ドアの開閉や鍵の施錠、解錠等の操作は煩わしいものであり、教員等にとっても、ドアや鍵があると、世話がしにくい、閉じ込められたりする等のトラブルが発生しても迅速な対応がしにくいといった問題があった。
【０００３】
そこで、トイレブースから扉をなくし、さらにプライバシーに配慮するため、ブース出入口の壁を互い違い状に配置することで、通常の視線では内部が視認できないようにしたものが知られている（例えば、特許文献２参照）。このトイレブースは扉がないため、必要に応じて教員等が容易に内部に入ることができ、さらに壁の高さを低めに設置することで、教員等はブースの外側から内部を視認することができるようにしている。
また、前面の出入口を開口し、該出入口より後側（奥側）に偏倚させた位置に壁体を設け、該壁体に便器を取り付けることで、左右どちらからでも出入りすることができるようにしたものが知られている（例えば、特許文献３参照）。
【先行技術文献】
【特許文献】
【０００４】
【特許文献１】実開平２−１１８０５９号公報
【特許文献２】特開２００５−２００８８９号公報
【特許文献３】特開２０００−２７４７０号公報
【発明の概要】
【発明が解決しようとする課題】
【０００５】
ところで、特許文献２に記載されるような出入口の壁を互い違い状に配置したトイレブースは、長さの異なる専用の壁材（板材）が複数必要であり、壁材を湾曲させたものは該壁体の製造に手間やコストが更にかかるといった問題がある。
さらに、このようなトイレブースを、ショッピングセンターやサービスエリア等の一般用トイレの一角に後から設置したい場合、大きなレイアウト変更が必要になる等、既存施設への大規模な改修工事が必要になってコストや時間がかかってしまうといった問題がある。
しかも、このようなトイレブースは、ブース出入口の壁が互い違い状に配置されているため、使用者である幼児が、出入口の壁が互い違い状になっていることを十分認識できず、該出入口の壁にぶつかってしまうといった問題もある。
また、特許文献３に記載されるような出入口より後側（奥側）に偏倚させた位置に壁体を独立して設けたものは、該壁体を床面から天井面に亘って設けているため、天井面での改修が必要であるが、天井面は高所であるため作業性に劣ることになって既存設備からの簡単な改修が難しいといった問題がある。
これに対し、図１１に参考例として示すように、前記特許文献３の出入口よりも後側（奥側）に偏倚させた位置に、左右パネル支持部１００ａ、ｂを天井面１０１まで至らせた支持部材１００を用いてスクリーンパネル７を床面と天井面１０１とのあいだで突っ張るようにすることも考えられるが、このものも天井面の改修が必要となるため大掛かりな作業が強いられることになって既存設備からの簡単な改修が難しいといった問題があり、これらに本発明の解決すべき課題がある。
【課題を解決するための手段】
【０００６】
本発明は、上記の如き実情に鑑みこれらの課題を解決することを目的として創作されたものであって、請求項１の発明は、後および左右の各面を構成する壁または板と、出入口である開口部が形成されることで左右に一直線状に分割される前面板とがトイレ囲繞部材として構成される幼児用のトイレブースであって、該トイレブース内に配された一つの便器が前記出入口から見えないように目隠しするためのスクリーンパネルを、便器が後側に対向する状態で出入口よりも後側に偏倚させて設けて、出入口から左右に分割してスクリーンパネルを左右に避ける二つの動線で前記一つの便器に至るように構成するにあたり、該スクリーンパネルは天井面までには至らない長さのものとし、該スクリーンパネルを、前記動線Ａと平面視で交差する部位である架け渡し部がスクリーンパネルの上端よりも高位で天井面までには至らないが大人の出入を妨げないように配された支持部材を介して前記トイレ囲繞部材のうち何れか一つ以上の箇所に支持したことを特徴とする幼児用トイレブースである。
請求項２の発明は、前記スクリーンパネルを、前記出入口および分割した二つの動線Ａと平面視で交差する部位である三つの架け渡し部がスクリーンパネルの上端よりも高位で天井面までには至らないが大人の出入を妨げないように配された支持部材を介して前記左右に分割された前面板同士およびスクリーンパネルと前面板とのあいだの支持をしたことを特徴とする請求項１記載の幼児用トイレブースである。
請求項３の発明は、支持部材は、スクリーンパネルには左右方向間隙を存して少なくとも２箇所で連結されるものとし、前記トイレ囲繞部材には、前記支持部材のスクリーンパネル連結位置に対して前後方向同位置、およびスクリーンパネルの左右方向延長位置に対して前後方向にズレ、かつスクリーンパネルの支持部材連結位置よりも左右方向外方にズレた位置のなかから選択された少なくとも２箇所で連結されていることを特徴とする請求項１または２記載の幼児用トイレブースである。
請求項４の発明は、支持部材は、スクリーンパネルおよび／またはトイレ囲繞部材の縦面を通って床面にまで至るように構成されていることを特徴とする請求項１乃至３の何れか１記載の幼児用トイレブースである。
請求項５の発明は、支持部材は、上下方向を向いていてスクリーンパネルの左右両側縁に固着され、上端部が前後方向を向いていて左右前面板の上方にまで至る逆Ｌ字状をした左右一対のパネル支持部と、左右両脚部と跨部とを有した冂字形に形成され、両脚部の下端が取付け座を介して前記左右前面板の上端縁に固着され、跨部に前記左右パネル支持部の上前端が固着された前面板側支持部と、前記左右パネル支持部間に複数本が介装される補強骨とによって構成されていることを特徴とする請求項２乃至４の何れか１記載の幼児用トイレブースである。
請求項６の発明は、前面板側支持部に動物の頭部を模った前面パネルを取り付けたことを特徴とする請求項５記載の幼児用トイレブースである。
請求項７の発明は、後および左右の各面を構成する壁または板と、出入口である開口部が形成されることで左右に一直線状に分割される前面板とがトイレ囲繞部材として構成される幼児用のトイレブースの改修方法であって、前記出入口を開閉する既存の戸体を取り外した後、該トイレブース内に配された一つの便器が前記出入口から見えないように目隠しすることにはなるが、天井面までには至らない長さのスクリーンパネルを、便器が後側に対向する状態で出入口よりも後側に偏倚させて設けて出入り口から左右に分割してスクリーンパネルを左右に避ける二つの動線で前記一つの便器に至るようにした状態で、該スクリーンパネルを、前記動線と平面視で交差する部位である架け渡し部がスクリーンパネルの上端よりも高位で天井面までには至らないが大人の出入を妨げないように配された支持部材を介して前記トイレ囲繞部材のうち何れか一つ以上の箇所に支持したことを特徴とする幼児用トイレブースの改修方法である。
請求項８の発明は、前記スクリーンパネルを、前記出入口および分割した二つの動線と平面視で交差する部位である架け渡し部がスクリーンパネルの上端よりも高位で天井面までには至らないが大人の出入を妨げないように配された支持部材を介して前記左右に分割された前面板同士およびスクリーンパネルと左右の前面板とのあいだの支持をしたことを特徴とする請求項７記載の幼児用トイレブースの改修方法である。
【発明の効果】
【０００７】
請求項１の発明とすることにより、幼児のプライバシーを保護するスクリーンパネルを容易に設置することができる。
請求項３の発明とすることにより、スクリーンパネルの揺れや衝撃に対する安定性を高めることができる。
請求項４、５の発明とすることにより、強度の高いスクリーンパネルとすることができる。
請求項６の発明とすることにより、幼児が親しみやすいトイレブースとすることができる。
請求項７の発明とすることにより、既存のトイレブースから容易に改修してスクリーンパネルを設置することができる。
【図面の簡単な説明】
【０００８】
【図１】第一の実施の形態におけるトイレブースの斜視図である。
【図２】（Ａ）、（Ｂ）、（Ｃ）はそれぞれ、第一実施例におけるトイレブースの正面図、縦断面図、平面図である。
【図３】第一の実施の形態におけるスクリーンパネルの取り付け方を表す斜視図である。
【図４】第二の実施の形態におけるスクリーンパネルの斜視図である。
【図５】第三の実施の形態におけるスクリーンパネルの斜視図である。
【図６】（Ａ）、（Ｂ）はそれぞれ、第四の実施の形態におけるトイレブースの正面図、スクリーンパネルの斜視図であり、（Ｃ）、（Ｄ）はそれぞれ、第五の実施の形態におけるトイレブースの正面図、スクリーンパネルの斜視図である。
【図７】（Ａ）、（Ｂ）、（Ｃ）はそれぞれ、第六の実施の形態におけるトイレブースの正面図、縦断面図、平面図である。
【図８】（Ａ）、（Ｂ）、（Ｃ）はそれぞれ、第七の実施の形態例におけるトイレブースの正面図、縦断面図、平面図である。
【図９】（Ａ）、（Ｂ）、（Ｃ）はそれぞれ、第八の実施の形態におけるトイレブースの正面図、縦断面図、平面図である。
【図１０】（Ａ）、（Ｂ）、（Ｃ）はそれぞれ、第九の実施の形態におけるトイレブースの正面図、縦断面図、平面図である。
【図１１】（Ａ）、（Ｂ）、（Ｃ）はそれぞれ、参考例を示したトイレブースの正面図、縦断面図、平面図である。
【発明を実施するための形態】
【０００９】
以下、本発明の第一の実施の形態について、図面に基づいて説明する。図面において、１は幼児用のトイレブースであって、該トイレブース１は、後面側の壁（躯体壁）２、左右の側面板（仕切り板）３、４、左右に分割された前面板（仕切り板）５ａ、５ｂで構成されるトイレ囲繞部材で囲繞され、平面視において略矩形状をしたものとして形成されるが、該左右前面板５ａ、５ｂは幅方向同一直線上に位置するものであって、該左右前面板５ａ、５ｂの左右対向間には出入口Ｓである開口部が形成されている。さらに、前記トイレブース１には便器６が、着座したときに出入口Ｓ方向を見る向きで前記壁２に取り付けられている。因みに出入口Ｓの幅は幼児は勿論、大人も出入りしやすい寸法であることが望ましく、例えば５６０ｍｍ程度である。
【００１０】
そして、前記出入口Ｓと便器６との間には、横からの通常視ではトイレブース１の外部から内部を視認できないよう、該開口した出入口Ｓの目隠しの役割を果たすスクリーンパネル（つい立）７が設けられているが、該スクリーンパネル７は後述するように、支持部材８によって左右前面板５ａ、５ｂに取り付け支持されている。そして、該スクリーンパネル７及び支持部材８によって、トイレブースのドアの代わりとなるアーチスクリーン９が構成されている。なお、該スクリーンパネル７は、本実施の形態においては縦長の矩形状の板材によって構成され、下端７ａは床面にまで至るが上端は天井面までには至らず、その大きさは、目隠しの役割を果たすのに十分であり、かつ、出入しやすい動線が確保できる程度であることが好ましく、具体的には、高さは幼児が立ったときに頭が隠れる高さ以上であって大人の目線以下（例えば１２００ｍｍ程度）、幅は便器６の幅以上であるが前記出入口Ｓの寸法よりは狭い寸法（例えば３００ｍｍ程度）であって、出入口Ｓに対して便器６側に偏倚していて大人も出入りできる寸法（例えば３７０ｍｍ程度）だけ奥まっていることが望ましい。
【００１１】
前記支持部材８は、本実施の形態ではパイプ材によって構成されているが、逆Ｌ字状をし、上下方向を向く上下パイプ部８ａは下端が床面にまで至ると共に前記スクリーンパネル７の左右両側縁に固着され、前後方向を向く前後パイプ部８ｂの前端は左右前面板５ａ、５ｂ位置にまで至る左右一対のパネル支持部８ｃ、８ｄと、略冂字状をし、両脚部８ｅの下端が取付け座８ｆを介して左右前面板５ａ、５ｂの上端縁に固着され、跨部８ｇに前記左右パネル支持部８ｃ、８ｄのパイプ部８ｂの上前端が固着された前面板側支持部８ｈと、前記左右パネル支持部８ｃ、８ｄ間に複数本が介装される補強骨８ｉとによって構成されている。
【００１２】
このように、支持部材８は、スクリーンパネル７の支持部材連結位置７ｂ、７ｃにおいて、スクリーンパネル７をあいだに挟むことで左右方向間隙を存する状態でスクリーンパネル７に連結され、さらに、スクリーンパネル７の左右方向延長位置よりも前方向（入口方向）にズレ、かつ、左右前面板５ａ、５ｂに対して、スクリーンパネルの支持部材連結位置７ｂ、７ｃよりも左右方向外方にズレた位置に取付け座８ｆを介して固着するように構成されている。
つまり、スクリーンパネル７の設置位置と支持部材８の固定位置が前後に位置ズレし、さらに、支持部材両足部８ｅ間の左右幅が、支持部材連結位置７ｂ、７ｃ間の幅以上のものとして構成されており、アーチスクリーン９への揺れや衝撃に対しても安定した状態を維持できるようになっている。
【００１３】
さらに、図２（Ｃ）に示すように、平面視したときに、支持部材８のうちトイレブース１内へ出入するときの動線Ａと交差する部位である前面板側支持部跨部８ｇおよび前記左右パネル支持部８ｃ、８ｄの前後パイプ部８ｂが、離間したもの同士のあいだを架け渡す架け渡し部（アーチ部）を構成している。そして、該架け渡し部の下を人が通ることになるが、この架け渡し部の高さを、天井面までは至らないが、トイレブース１への大人の出入を妨げないような高所（日本人の成人男性の平均身長よりも高所）に配し、例えば、床面から２０００ｍｍ程度の高さに設定されている。これにより、スクリーンパネル７は床面と前面板５ａ、５ｂで支持され、かつスクリーンパネル７の上側からトイレブース内を大人が見通せる低いものでありながら、大人が通るのに十分な高さを確保したアーチスクリーン９とすることができる。
なお、スクリーンパネル７の下端部は、図示しないボルト等で床面に固着させることで強度を高め、スクリーンパネル７自体に衝撃が与えられた場合であっても、傾いたり、倒れたりすることなく安定した状態を維持できるように構成されている。
【００１４】
因みに、アーチスクリーン９をトイレブースに組付ける手法として、例えば図３に示すように、予め、前記スクリーンパネル７と支持部材８とを組付けた状態とし、これを取付け座８ｆを左右前面板５ａ、５ｂの上端縁に固着させることで、新設のトイレブースに設置できることは勿論、既存のトイレブースから戸体を取り外した後にアーチスクリーン９を設置することができるように設定されている。
【００１５】
叙述の如く構成された本発明の第一の実施の形態において、スクリーンパネル７は、出入口Ｓに対して便器６側に奥まった状態で該便器６を隠すようにして支持部材８を介して左右前面板５ａ、５ｂに取付けられるため、幼児がドアの開閉や施錠、解錠に手間取ることなくトイレブース１に出入りすることができ、閉じ込められたりする等のトラブル発生の惧れがない。しかも、スクリーンパネル７がトイレブース内部、特に便器６への視界を遮るように設置されているため、トイレを使用している幼児のプライバシーを守ることができる。
さらに、支持部材８に設けられる取付け座８ｆを左右前面板５ａ、５ｂに固定してスクリーンパネル７を取付けることでアーチスクリーン９を設置することができるため、既存のトイレブースであっても左右前面板５ａ、５ｂや天井面に大きな改修が必要なく容易に設置することができる。
しかも、支持部材８の袴部８ｇの上下長さを左右前面板５ａ、５ｂに応じて調節するだけで、様々な壁高さのトイレにアーチスクリーン９を設置することができ、例えば、既存の戸体付きのトイレブースから、戸体を外してアーチスクリーン９を取り付けることで、容易に本発明の幼児用トイレブース１へ改修することが可能である。
さらにまた、前記架け渡し部である支持部材８の前面板側支持部跨部８ｇおよび前後パイプ部８ｂを、大人がトイレブース１に出入するのを妨げないような高所に配したため、大人が該支持部材８の下を通る際に、無理に屈んだりする必要がなくて、幼児の世話をする大人がトイレブース１内に入りやすいものとなっている。
【００１６】
また、前記スクリーンパネル７は、第一の実施の形態においては矩形状のものを用いたが、これに限定されることはなく、トイレブース外部からの視認を遮るのに十分な大きさを確保できるものであれば、幼児が親しみやすい形状、例えば上部を円弧状にしたり、動物や乗り物等を模った形状にしてもよく、また図柄を描いてもよい。
【００１７】
尚、本発明は前記第一の実施の形態に限定されるものでなく、図４に示す第二の実施の形態のように、前面板側支持部８ｈに、例えば動物の頭部を模った前面パネル１０を取り付けたアーチスクリーン１１とすることもできる。
このようにすることで、幼児にとって親しみやすいトイレとすることができるだけでなく、幼児用のトイレブースであることが幼児にも大人にも視覚的に分かりやすいものとなり、例えばサービスエリア等の大人用トイレの一角にこのような幼児用トイレブースを設ける場合、幼児をトイレブースに迅速に誘導することができる。
【００１８】
また、図５に示す第三の実施の形態のように、パイプ式の支持部材を用いることなく、板材のみで形成することもできる。この実施の形態において、スクリーンパネル１２は、上側支持部１３と一体形成されて略Ｔ字状をし、前面パネル１４は中央部を∩状に切り欠いた∩状切欠き部１４ａとし、前記上側支持部１３と前面パネル１４は、長方形の平板状に形成された支持部材である天面板１５を介して、図示しない螺子等の固着手段によって上端部で接続されたアーチスクリーン１６として形成されている。
このものにおいて、上側支持部１３、前面パネル１４の∩状切欠き部１４ａ、天面板１５で、トイレブース１内へ出入するときの動線Ａと交差する部位である架け渡し部を構成しているが、該架け渡し部は、大人が架け渡し部の下を通る際に妨げとならないような高所に配されている。
このようにすることで、パイプ式の支持部材を用いずにアーチスクリーン１６を形成することができるため、デザインの統一を図ることができ、意匠性に優れたトイレブースとすることができる。
また、前記前面パネル１４の中央切り欠き部分を第二の実施の形態と同様、例えば動物の頭部を模ったものとすることもできる。
【００１９】
さらに、図６（Ａ）、（Ｂ）に示す第四の実施の形態、（Ｃ）、（Ｄ）に示す第五の実施の形態のように、上側支持部１７と天面板１８をアーチ状に湾曲させ、スクリーンパネル１２、上側支持部１７、天面板１８を一体形成することもできる。本実施の形態において、前面パネル１９、２０は第二の実施の形態、第三の実施の形態と同様に、動物を模ったり、∩状に切り欠いたりしたものを用いている。
このようにすることで、柔らかい印象のトイレブースとすることができ、幼児が明るい気持ちで該トイレブースを使用することができるようになる。
【００２０】
さらにまた、図７に示す第六の実施の形態のように、支持部材２１の前面板側支持部２１ａの脚部２１ｂを、トイレ囲繞部材である左右前面板５ａ、５ｂの縦面から床面まで至らせ、該前面板側支持部２１ａ（脚部２１ｂ）を、取付け部材２２を介して固着させるようにすることもできる。
このものにおいて、支持部材２１のうち、平面視においてトイレブース内へ出入する動線Ａと交差する部位が架け渡し部を構成しており、該架け渡し部は大人の出入を妨げないような高所に配されている。
そして、既存のトイレブースを改修してアーチスクリーン９を取り付ける場合、各トイレ囲繞部材の形状や高さに応じた支持部材を用意する必要があるが、本第六の実施の形態のように構成することで、部品を共通化、汎用化することができ、例えば、前面板側支持部２１ａを前面板５ａ、５ｂの高さに応じた支持部材２１を用意する必要がなくなって、様々な形態のトイレに対応することができる。これにより、既存トイレブースへの改修が容易であるだけでなく、部品の共通化によって製造コストを削減することができる。しかもこのものは、前面板５ａ、５ｂの板面に直接固着させるため、強度をより十分なものとすることができる。
【００２１】
また、図８に示す第七の実施の形態のように、支持部材２３を、円柱ポール状の左右パネル支持部２３ａ、２３ｂの上端部にスクリーンパネル７側よりも左右前面板５ａ、５ｂ側の方が幅広となるように形成した前面板側支持部２３ｃを固着させるようにすることもできる。
このものにおいて、支持部材２３のうち、平面視においてトイレブース内へ出入する動線Ａと交差する部位である左右パネル支持部２３ａ、２３ｂの上端部分及び前面板側支持部２３ｃが架け渡し部を構成し、該架け渡し部は大人の出入を妨げないような高所に配されている。
なお、本第七の実施の形態では、該前面板側支持部２３ｃは、前記第六の実施の形態のように床面まで脚部２３ｄを至らせて左右前面板５ａ、５ｂのトイレブース１の内側面から取付け部材２４を介して固着させているが、前記第一の実施の形態のように取付け座を用いて左右前面板５ａ、５ｂに固着させる構成としてもよい。
そして、このように構成することで、前面板側支持部２３ｃは先端（出入口）方向が広がった八字形状となるため、支持力がより強くなって安定性が向上する。
【００２２】
またさらに、図９に示す第八の実施の形態のように、支持部材２５の支持部２５ａを取付け部材２６を介して、左右側面板３、４に固着させるようにすることもできる。
また、図１０に示す第九の実施の形態のように、支持部材２７の支持部２７ａを取付け部材２８を介して、後面側の壁２に固着させることも可能である。
そして、第八の実施の形態の支持部２５ａ、第九の実施の形態の支持部２７ａは、それぞれ大人の出入を妨げないような高所に配される架け渡し部を構成している。
【００２３】
このように、アーチスクリーンの支持部材を固着させる場所を、各トイレブースの位置や形状に応じて適宜選択することができるため、既存のトイレブースを容易に改修することができる。
【００２４】
なお、支持部材による支持数や連結位置は、前記各実施の形態のものに限定されることはなく、支持部材の支持数としては、３箇所、４箇所等、適宜の支持数とすることができ、また支持部材のトイレ囲繞部材への連結位置としては、スクリーンパネルの左右方向延長位置よりも前後方向にズレ、かつスクリーンパネルの支持部材連結位置よりも左右方向外方にズレた位置のなかから適宜選択された位置、例えば左右一対のパネル支持部が前後逆方向に配されたクランク状にしたものとすることもできる。
【産業上の利用可能性】
【００２５】
本発明は、保育園や幼稚園等に設置される幼児用トイレブースの技術分野に利用することができる。
【符号の説明】
【００２６】
１    トイレブース
５ａ、５ｂ  左右前面板
７    スクリーンパネル
７ｂ、７ｃ  支持部材連結位置
８    支持部材
８ｈ  前面板側支持部
９    アーチスクリーン
Ｓ    出入口
【図１】
0005665636.tif 000002
【図２】
0005665636.tif 000003
【図３】
0005665636.tif 000004
【図４】
0005665636.tif 000005
【図５】
0005665636.tif 000006
【図６】
0005665636.tif 000007
【図７】
0005665636.tif 000008
【図８】
0005665636.tif 000009
【図９】
0005665636.tif 000010
【図１０】
0005665636.tif 000011
【図１１】
0005665636.tif 000012